(57)【要約】  本発明は、あらかじめ陰極（１）と陽極（９）とを組み込んで組立て、前記陰極と前記陽極とを組み込んだ状態で保管、輸送可能な荷電粒子銃（ＥＧ）において、前記荷電粒子銃を保管、輸送する際に、前記陰極と前記陽極とを導体（１１）で接続することを特徴とする。  これにより、保管、輸送中に発生した静電気が引き起こす放電によって、荷電粒子銃の電極先端が損傷することを防止できるようになった。
2012127963.tif 000002
【特許請求の範囲】
【請求項１】
陰極と陽極を有する電子銃又はイオン銃を、両極間を導体で接続した状態で保管又は輸送することを特徴とする電子銃又はイオン銃の取扱方法。
【請求項２】
前記陰極、又は前記陽極が先鋭端を有する請求項１記載の電子銃又はイオン銃の取扱方法。
【請求項３】
前記陰極、又は前記陽極がタングステンからなる請求項２記載の電子銃又はイオン銃の取扱方法。
【請求項４】
前記電子銃又はイオン銃が容器に収容されていると共に、前記両極間を接続する導体が前記電子銃又はイオン銃の端子を前記容器に固定するための金属部材を含む請求項１記載の電子銃又はイオン銃の取扱方法。
【請求項５】
前記両極間を接続する導体が、弾性復元力により前記陰極又は前記陽極に接触する弾性金属部材を含む請求項１記載の電子銃又はイオン銃の取扱方法。
【請求項６】
前記電子銃又はイオン銃が容器に収容されていると共に、前記弾性金属部材が前記容器に固着されている請求項４記載の電子銃又はイオン銃の取扱方法。
【請求項７】
陰極と陽極を有する電子銃又はイオン銃を、両極間を導体で接続した状態で、容器に収容していることを特徴とする電子銃又はイオン銃の収容体。
【請求項８】
前記陰極、又は前記陽極が先鋭端を有する請求項７記載の電子銃又はイオン銃の収容体。
【請求項９】
前記陰極、又は前記陽極がタングステンからなる請求項８記載の電子銃又はイオン銃の収容体。
【発明の詳細な説明】
【技術分野】
【０００１】
本発明は、電子銃又はイオン銃を保管又は輸送する際の電子銃又はイオン銃の取扱方法および収容体に関する。
【背景技術】
【０００２】
一般に電子銃、あるいはイオン銃は、電気的に絶縁された陽極と陰極の対からなっている。近年普及している ZrO/W ショットキー電子源においても、取り扱いの容易さから電子源と陽極（引き出し電極）を一体化させたものが実用化している。（特許文献１参照）。
【先行技術文献】
【特許文献】
【０００３】
【特許文献１】特開平０９−０８２２５５号公報
【発明の開示】
【発明が解決しようとする課題】
【０００４】
当該電子銃又はイオン銃を輸送する際、アクリル容器等のプラスチック製容器に固定後、樹脂製梱包材と共に段ボール箱に入れて保管及び輸送する方法が一般的に用いられている。【０００５】
しかしながら、上記梱包形態で保管及び輸送していたところ、当該電子銃又はイオン銃において、梱包材などの摩擦により生じる静電気で陽極と陰極間が放電し、陰極先端が損傷を受けるという問題が発生することを最近見いだした（図５参照）。【０００６】
本発明は上記問題に鑑みてなされたものであり、静電気で陰極と陽極間が放電することにより、電極の損傷を受けるのを防ぐことを目的とする。
【課題を解決するための手段】
【０００７】
本発明は、陰極と陽極を有する電子銃又はイオン銃を、両極間を導体で接続した状態で保管又は輸送することを特徴とする電子銃又はイオン銃の取扱方法に関する。また、本発明は、陰極と陽極を有する電子銃又はイオン銃を、両極間を導体で接続した状態で、容器に収容していることを特徴とする電子銃又はイオン銃の収容体に関する。
【発明の効果】
【０００８】
本発明の電子銃又はイオン銃の取扱方法によると、陰極部と陽極部とを導体で接続した状態で保管又は輸送することで、静電気で陽極と陰極間が放電するのを防ぐことが可能となるため、陰極先端が損傷するのを防止することができる。また、本発明の電子銃又はイオン銃の収容体によると、保管又は輸送の際に限らず、静電気で陽極と陰極間が放電するのを防ぐことが可能となるため、陰極先端が損傷するのを防止することができる。
【図面の簡単な説明】
【０００９】
【図１】本発明に使用される電子銃の模式図
【図２】従来の方法で電子銃がアクリル容器に固定されている状態を示す模式図
【図３】本発明による取扱方法の一例を示す模式図
【図４】本発明による梱包の様子を示した説明図
【図５】放電による損傷を受けた陰極先端を示す写真
【図６】本発明による取扱方法の他の例を示す模式図
【図７】本発明による取扱方法の他の例を示す模式図
【図８】本発明による取扱方法の他の例を示す模式図
【発明を実施するための最良の形態】
【００１０】
以下、本発明の具体的な実施形態及び作用効果について説明する。【００１１】
本実施形態では、走査型電子顕微鏡、オージェ電子分光、電子線露光機、ウェハ検査装置などの電子線応用機器に好適な電子銃又はイオン銃の保管方法及び輸送方法について説明するが、本発明はこれに限定されるものではない。【００１２】
図１には電子銃ＥＧの模式図を示す。電子銃ＥＧは、図１に示すように、電子放射源となる陰極１、陰極１を加熱、保持するためのフィラメント３、フィラメント３を保持するための導電端子４、導電端子４を絶縁、保持するための絶縁碍子５、更に、放射される電子を制御するための制御電極６、陰極１から電子を引き出すための陽極９、陽極９と制御電極６を絶縁するための絶縁碍子８とからなるのが一般的である。【００１３】
なお、イオン銃の場合も、陰極1の先端が制御電極６よりも下に位置する点以外は、電子銃ＥＧと同様の構造を有している。【００１４】
上記電子銃ＥＧを保管及び輸送する際には、図２に示すように、アクリル容器１０等のプラスチック製容器のベース部１０ａに、電子銃ＥＧを固定した後、蓋体１０ｂにより密栓し、梱包材と一緒にフィルム類で包み、段ボール箱に入れて保管及び輸送するのが一般的である。この梱包材には樹脂性の物が使われている場合が多く、振動による摩擦が原因で梱包系内に静電気が発生する。【００１５】
このとき、従来の電子銃ＥＧの構造においては、陽極９部が絶縁碍子８を通じてフローティングされた状態になっている為、陽極９上に静電荷が蓄積され、一定量以上になると、陰極１と陽極９間で放電が発生してしまう。【００１６】
本実施形態の電子銃ＥＧ又はイオン銃において、陰極１と陽極９とを導体で接続することで、梱包材などの摩擦により生じる静電気で陽極９と陰極１間が放電するのを防ぐことができる。導体としては、体積抵抗率１００μΩｃｍ以下のものが好ましく、金属材料を用いて短絡させることがより好ましい。【００１７】
図３に本実施形態の電子銃ＥＧの模式図を示す。この実施形態では、電子銃ＥＧが容器１０に収容されていると共に、両極間を接続する導体が、導伝端子４を容器１０に固定するための金属部材、および弾性復元力により陽極９に接触する弾性金属部材１１である例を示す。導電端子４と陽極９とを金属板のような弾性金属部材１１およびネジ１３を通じて短絡させることで、陰極１と陽極９が同電位になる。従って、従来の電子銃ＥＧの場合においては、陽極９に蓄積された静電気が原因で発生していた陽極９と陰極１間の放電が、本実施形態の構造により解消される。【００１８】
図示した例では、弾性金属部材１１として、穴を開けた金属板を使用し、弾性金属部材１１の一端側をネジ１３を介して導電端子４に導通させ、他端側を陽極９に接触させている。弾性金属部材１１の他端側と陽極９との接触には、金属板の弾性復元力を利用している。本発明では、このように、電子銃ＥＧ又はイオン銃に対して、弾性金属部材１１を着脱自在に構成することが好ましい。【００１９】
図６に示す例では、陽極９の上面と当接する弾性金属部材１１を設けている。このように金属板の端辺の代わりに、金属板の一方の面を陽極９と面接触させることで、より確実に導体による接続を行うことができる。【００２０】
図７に示す例では、弾性金属部材１１の一端側が、導電端子４をベース部１０ａに固定するネジ１３に対して、弾性復元力により接触する形状となっており、他端側が弾性復元力により陽極９に接触する形状となっている。このような弾性金属部材１１を、容器１０の蓋体１０ｂに固着している。この構成によると、容器１０のベース部１０ａに蓋体１０ｂを被せるだけで、両極間を導体により接続することができる。弾性金属部材１１の蓋体１０ｂへの固着は、何れの方法でもよく、接着剤による接着、熱融着、ネジによる固着等が例示できる。【００２１】
図８に示す例では、弾性金属部材１１が容器１０のベース部１０ａに固着され、弾性金属部材１１の一端側が、弾性復元力により導電端子４に接触する形状となっており、他端側が弾性復元力により陽極９に接触する形状となっている。電子銃ＥＧの導電端子４は、ベース部１０ａの固定穴に挿入されて、電子銃ＥＧがベース部１０ａに固定される。この構成によると、電子銃ＥＧの導電端子４をベース部１０ａの固定穴に挿入するだけで、両極間を導体により接続することができる。弾性金属部材１１のベース部１０ａへの固着は、何れの方法でもよく、接着剤による接着、熱融着、ネジによる固着等が例示できる。【００２２】
＜実施例＞
以下、実施例について説明する。
電子銃ＥＧの導電端子部をアクリル容器に固定する。固定方法は、図３に示すようにアクリル容器１０の保持部１０ａに穴を開け、そこに導電端子４の一端４ａを挿入し、側面からネジ１３で締めこむことで行う。弾性金属部材１１として、穴を開けた金属板を使用し、弾性金属部材１１の穴をネジ１３に挿入しておく。この弾性金属部材１１をナット１２で固定しつつ、ネジ１３を締結して導電端子４とネジ１３を接触させる。【００２３】
次に金属板の一部と陽極９を接触・固定することで陰極１と陽極９間が同電位になる。金属板は厚さ０．１ｍｍ程度のSUS板が望ましいが、これに限定されるものではない。【００２４】
その後アクリル容器１０を密栓し、樹脂製の梱包材と一緒にフィルムに包み、プラスチック容器に入れる。当該プラスチック容器を段ボール箱に入れ、発泡スチロールで隙間を埋めて、梱包を完了する（図４参照）。【００２５】
意図的に静電気を発生させるために、上記段ボール箱を振動発生器に備え付け、周波数３Ｈｚ、振幅４０ｍｍの振動を１７．５時間与え続けた。振動発生器は本実施例においては、分析実験用に使うシェーカーを用いたが、これに限定されるものではない。【００２６】
その後段ボール箱を開封して中から電子銃を取り出し、陰極先端を走査型電子顕微鏡により観察し、放電による損傷が発生しているかどうかを確認した。なお、図５には放電による損傷を受けた、陰極先端の画像例を示してある。【００２７】
＜比較例１＞
実施例に用いた金属板を使用しなかったこと以外は、実施例と同じ方法で梱包した電子銃を、実施例と同様の方法で振動を与え、開封後走査型電子顕微鏡による陰極先端観察を実施した。【００２８】
＜比較例２＞
固定容器をアクリル容器１０から金属製容器に変更し、それ以外は比較例１と同様の方法で試験を実施した。【００２９】
＜比較例３＞
電子銃から陽極を取り外した、いわゆる電子源を用いて、それ以外は比較例１と同様の方法で試験を実施した。【００３０】
比較結果を表１に示す。【００３１】
【表１】
2012127963.tif 000003
【００３２】
表１より、実施例においては、６０個中陰極先端に損傷を受けた物は無かった。一方比較例１においては６０個中５７個陰極先端に損傷を受けており、本発明による効果が確認された。【００３３】
また、比較例２においては６０個中２３個陰極先端の損傷を確認した。このことから、当該陰極先端損傷が、電子銃固定容器を導電性の金属製容器に変更するだけでは無くならないことが分かった。【００３４】
一方比較例３において６０個中陰極先端に損傷を受けた物は無かったことから、当該陰極先端損傷は、陽極部が絶縁碍子を通じてフローティングされた状態になっている為に、陽極上に静電荷が蓄積されることで生じる放電が要因で発生することが実証された。【００３５】
以上、本発明を実施例に基づいて説明した。この実施例はあくまで例示であり、種々の電子銃又はイオン銃において可能なこと、またそうした例も本発明の範囲にあることは当業者に理解されるところである。【００３６】
すなわち、本発明は陰極、又は陽極が先鋭端を有することを特徴とする電子銃又はイオン銃の保管及び輸送に好適であり、更には陰極、又は陽極がタングステンからなる電子銃、又はイオン銃の保管方法及び輸送において好適である。
【産業上の利用可能性】
【００３７】
本発明の電子銃又はイオン銃の取扱方法および収容体は、陰極と陽極間を導体で接続することにより、静電気による両極間の放電を防ぐことができ、生産性が向上することから、電子線露光機、ウェハ検査装置、電子線ＬＳＩテスターなど電子線応用機器に好適な電子銃又はイオン銃の保管及び輸送に用いて好適であり、産業上非常に有用である。
【符号の説明】
【００３８】
１：:陰極（チップ）
２：拡散源
３：フィラメント
４：導電端子
５：絶縁碍子
６：制御電極
７：ねじ
８：絶縁碍子
９：陽極（引き出し電極）
１０：アクリル容器
１１：弾性金属部材（導体）
１２：ナット
ＥＧ：電子銃
【図１】
2012127963.tif 000004
【図２】
2012127963.tif 000005
【図３】
2012127963.tif 000006
【図４】
2012127963.tif 000007
【図５】
2012127963.tif 000008
【図６】
2012127963.tif 000009
【図７】
2012127963.tif 000010
【図８】
2012127963.tif 000011
【国際調査報告】
2012127963.tif 000012
2012127963.tif 000013
2012127963.tif 000014
2012127963.tif 000015